(57)【特許請求の範囲】
【請求項１】
少なくとも１つの基地局を含むセルから通信を受信することができるユーザ装備（ＵＥ）であって、
前記ユーザ装備は、
基地局から、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に受信し、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に受信するように構成された受信機と、
前記基地局に、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に送信するように構成された送信機と、を含み、
前記ＰＵＣＣＨ資源は、前記ダウンリンク制御情報の伝送のために使用される最も小さいチャネル制御要素（ＣＣＥ）の数と資源オフセット媒介変数に基づいて決定され、
前記資源オフセット媒介変数はＵＥ特定である、ユーザ装備。
【請求項２】
前記ＵＥの特定資源オフセット媒介変数は、無線資源制御（ｒａｄｉｏ  ｒｅｓｏｕｒｃｅ  ｃｏｎｔｒｏｌ，ＲＲＣ）シグナリングによって受信される、請求項１に記載のユーザ装備。
【請求項３】
前記送信機は、さらに、前記基地局に、前記ＨＡＲＱ−ＡＣＫ情報を、ＰＵＣＣＨ基準信号（ｒｅｆｅｒｅｎｃｅ  ｓｉｇｎａｌ，ＲＳ）とともに送信するように構成された、請求項１に記載のユーザ装備。
【請求項４】
前記ＰＵＣＣＨ  ＲＳは、シーケンスシフトパターンに基づいて生成される、請求項３に記載のユーザ装備。
【請求項５】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項４に記載のユーザ装備。
【請求項６】
前記受信機は、さらに、前記ＵＥの特定資源オフセット媒介変数を含むＰＵＣＣＨ構成情報を受信するように構成された、請求項１に記載のユーザ装備。
【請求項７】
少なくとも１つの基地局を含む複数のセルを含む無線通信ネットワークに使用するための、複数のユーザ装備と無線通信することができる基地局のうち各々の基地局であって、
前記基地局は、
ユーザ装備（ｕｓｅｒ  ｅｑｕｉｐｍｅｎｔ，ＵＥ）に、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に送信し、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に送信するように構成された送信機と、
前記ＵＥから、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に受信するように構成された受信機と、を含み、
前記ＰＵＣＣＨ資源は、前記ダウンリンク制御情報の伝送のために使用される最も小さいチャネル制御要素（ＣＣＥ）の数と資源オフセット媒介変数に基づいて決定され、
前記資源オフセット媒介変数はＵＥ特定である、基地局。
【請求項８】
前記ＵＥの特定資源オフセット媒介変数は、無線資源制御（ｒａｄｉｏ  ｒｅｓｏｕｒｃｅ  ｃｏｎｔｒｏｌ，ＲＲＣ）シグナリングによって送信される、請求項７に記載の基地局。
【請求項９】
前記受信機は、さらに、前記ＵＥから、前記ＨＡＲＱ−ＡＣＫ情報を、ＰＵＣＣＨ基準信号（ｒｅｆｅｒｅｎｃｅ  ｓｉｇｎａｌ，ＲＳ）とともに受信するように構成された、請求項７に記載の基地局。
【請求項１０】
前記ＰＵＣＣＨ  ＲＳは、シーケンスシフトパターンに基づいて生成される、請求項９に記載の基地局。
【請求項１１】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項１０に記載の基地局。
【請求項１２】
前記送信機は、さらに、前記ＵＥの特定資源オフセット媒介変数を含むＰＵＣＣＨ構成情報を送信するように構成された、請求項７に記載の基地局。
【請求項１３】
無線通信ネットワークに使うための干渉緩和方法であって、
前記方法は、
基地局から、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に受信する段階と、
前記基地局から、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に受信する段階と、
前記基地局に、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に送信する段階と、を含み、
前記ＰＵＣＣＨ資源は、前記ダウンリンク制御情報の伝送のために使用される最も小さいチャネル制御要素（ＣＣＥ）の数と資源オフセット媒介変数に基づいて決定され、
前記資源オフセット媒介変数はＵＥ特定である、干渉緩和方法。
【請求項１４】
前記ＵＥの特定資源オフセット媒介変数は、無線資源制御（ｒａｄｉｏ  ｒｅｓｏｕｒｃｅ  ｃｏｎｔｒｏｌ，ＲＲＣ）シグナリングによって受信される、請求項１３に記載の干渉緩和方法。
【請求項１５】
前記ＨＡＲＱ−ＡＣＫ情報を受信する段階は、前記基地局に、前記ＨＡＲＱ−ＡＣＫ情報をＰＵＣＣＨ基準信号（ｒｅｆｅｒｅｎｃｅ  ｓｉｇｎａｌ，ＲＳ）とともに送信する段階を含む、請求項１３に記載の干渉緩和方法。
【請求項１６】
前記ＰＵＣＣＨ  ＲＳは、シーケンスシフトパターンに基づいて生成される、請求項１５に記載の干渉緩和方法。
【請求項１７】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項１６に記載の干渉緩和方法。
【請求項１８】
前記ＵＥの特定資源オフセット媒介変数を含むＰＵＣＣＨ構成情報を受信する段階をさらに含む、請求項１３に記載の干渉緩和方法。
【請求項１９】
少なくとも１つの基地局を含む複数のセルを含む無線通信ネットワークに使用するための方法であって、基地局のうち各々の基地局は複数のユーザ装備と無線通信することができ、
前記方法は、
ユーザ装備（ｕｓｅｒ  ｅｑｕｉｐｍｅｎｔ，ＵＥ）に、ダウンリンクデータをスケジューリングするダウンリンク制御情報を、物理的ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）上に送信する段階と、
前記ＵＥに、前記ダウンリンクデータを物理的ダウンリンク共有チャネル（ｐｈｙｓｉｃａｌ  ｄｏｗｎｌｉｎｋ  ｓｈａｒｅｄ  ｃｈａｎｎｅｌ，ＰＤＳＣＨ）上に送信する段階と、
前記ＵＥから、前記ダウンリンクデータに関するハイブリッド自動繰り返し及び要請応答（ｈｙｂｒｉｄ  ａｕｔｏｍａｔｉｃ  ｒｅｐｅａｔ  ａｎｄ  ｒｅｑｕｅｓｔ  ａｃｋｎｏｗｌｅｄｇｅ，ＨＡＲＱ−ＡＣＫ）情報を、物理的アップリンク制御チャネル（ｐｈｙｓｉｃａｌ  ｕｐｌｉｎｋ  ｃｏｎｔｒｏｌ  ｃｈａｎｎｅｌ，ＰＵＣＣＨ）上に受信する段階と、を含み、
前記ＰＵＣＣＨ資源は、前記ダウンリンク制御情報の伝送のために使用される最も小さいチャネル制御要素（ＣＣＥ）の数と資源オフセット媒介変数に基づいて決定され、
前記資源オフセット媒介変数はＵＥ特定である、無線通信ネットワークに使うための方法。
【請求項２０】
前記ＵＥの特定資源オフセット媒介変数は、無線資源制御（ｒａｄｉｏ  ｒｅｓｏｕｒｃｅ  ｃｏｎｔｒｏｌ，ＲＲＣ）シグナリングによって送信される、請求項１９に記載の無線通信ネットワークに使うための方法。
【請求項２１】
前記ＨＡＲＱ−ＡＣＫ情報を受信する段階は、前記ＵＥから、前記ＨＡＲＱ−ＡＣＫ情報をＰＵＣＣＨ基準信号（ｒｅｆｅｒｅｎｃｅ  ｓｉｇｎａｌ，ＲＳ）とともに受信する段階を含む、請求項１９に記載の無線通信ネットワークに使うための方法。
【請求項２２】
前記ＰＵＣＣＨ  ＲＳは、シーケンスシフトパターンに基づいて生成される、請求項２１に記載の無線通信ネットワークに使うための方法。
【請求項２３】
ＵＥ特定ＲＳベースシーケンス媒介変数が前記ＵＥに設定された場合、前記シーケンスシフトパターンは、前記ＵＥ特定ＲＳベースシーケンス媒介変数に基づいており、設定されなかった場合、前記シーケンスシフトパターンはセル識別情報に基づく、請求項２２に記載の無線通信ネットワークに使うための方法。
【請求項２４】
前記ＵＥの特定資源オフセット媒介変数を含むＰＵＣＣＨ構成情報を送信する段階をさらに含む、請求項１９に記載の無線通信ネットワークに使うための方法。
【発明の詳細な説明】
【技術分野】
【０００１】
本出願は、一般的に無線通信に関し、特にアップリンク肯定応答（ａｃｋｎｏｗｌｅｄｇｅｍｅｎｔ）伝送のためのシステム及び方法に関する。
【背景技術】
【０００２】
現代の通信は、さらに高いデータ速度及び性能を要求する。また、多重要素アンテナ（ＭＥＡ）システムと知られた多重入力、多重出力（ＭＩＭＯ）アンテナシステムは、送信機及び受信機の両方とも、または他の場合には送受信機で空間またはアンテナ多様性を活用し、割り当てられた無線周波数（ＲＦ）チャネル帯域幅に対するさらに大きいスペクトル効率を達成する。
【０００３】
ＭＩＭＯシステムで、複数のデータストリームのそれぞれは、異なる物理的アンテナまたは効率的なアンテナによってプレコーディングされ、伝送される前に個別的にマッピングされて変調される。次に、組み合わせられたデータストリームは、受信機の多重アンテナで受信される。受信機で、各データストリームは、組み合わせられた信号から分離して抽出される。このようなプロセスは、一般的に最小平均二乗誤差（ＭＭＳＥ）またはＭＭＳＥ連続干渉除去（ＳＩＣ）アルゴリズムを利用して遂行される。
【０００４】
３ＧＰＰ（３ｒｄ  Ｇｅｎｅｒａｔｉｏｎ  Ｐａｒｔｎｅｒｓｈｉｐ  Ｐｒｏｊｅｃｔ  ＬＴＥ（Ｌｏｎｇ  Ｔｅｒｍ  Ｅｖｏｌｕｔｉｏｎ）システムで、基地局は、ＰＤＣＣＨ（Ｐｈｙｓｉｃａｌ  Ｄｏｗｎｌｉｎｋ  Ｃｏｎｔｒｏｌ  Ｃｈａｎｎｅｌ）からＤＬ（Ｄｏｗｎｌｉｎｋ）承認を加入者局に伝送する。後で一部のフレーム、加入者局は、ＡＣＫ（ＡｃｋｎｏｗｌｅｄｇｅｍｅｎｔまたはＮＡＣＫ（Ｎｅｇａｔｉｖｅ  Ａｃｋｎｏｗｌｅｄｇｅｍｅｎｔ）を基地局で送る。
【発明の概要】
【発明が解決しようとする課題】
【０００５】
以下にさらに詳しく説明されるように、基地局の受信機またはユーザ装備は、データストリームの強度関連特性に基づいて計算される各データストリームに対するデコーディング予測メトリックに基づいてデータストリームに対するデコーディング順序を決定するために動作する必要がある。
【課題を解決するための手段】
【０００６】
少なくとも１つの基地局を含む複数のセルを含む無線通信ネットワークが提供される。基地局は、ハイブリッド自動繰り返し要請（ＨＡＲＱ）−肯定応答（ＡＣＫ）を搬送する物理的アップリンク制御チャネル（ＰＵＣＣＨ）に対するセル特定資源オフセット媒介変数を含むセル特定無線資源制御（ＲＲＣ）構成、及びユーザ装備（ＵＥ）特定ＲＳベースシーケンス媒介変数とＰＵＣＣＨ  ＨＡＲＱ−ＡＣＫに対するＵＥ特定資源オフセット媒介変数を含むＵＥ特定ＲＲＣ構成の両方をユーザ装備に伝送するように構成される送信機を含む。基地局は、セル特定ＲＲＣ構成またはＵＥ特定ＲＲＣ構成のうち１つに基づいて生成されるＨＡＲＱ−ＡＣＫ情報を搬送するＰＵＣＣＨを受信するように構成された受信機をさらに含む。
【０００７】
少なくとも１つの基地局を含むセルから通信を受信することができるユーザ装備が提供される。ユーザ装備は、ＨＡＲＱ−ＡＣＫを搬送するＰＵＣＣＨに対するセル特定資源オフセット媒介変数を含むセル特定無線資源制御（ＲＲＣ）構成、及びＵＥ特定ＲＳベースシーケンス媒介変数とＨＡＲＱ−ＡＣＫを搬送するＰＵＣＣＨに対するＵＥ特定資源オフセット媒介変数を含むＵＥ特定ＲＲＣ構成の両方を基地局から受信するように構成される受信機を含む。ユーザ装備は、セル特定ＲＲＣ構成またはＵＥ特定ＲＲＣ構成のうち１つに基づいて生成されるＨＡＲＱ−ＡＣＫ情報を搬送するＰＵＣＣＨを伝送するように構成された送信機をさらに含む。
【０００８】
干渉緩和のための方法が提供される。このような方法は、ＨＡＲＱ−ＡＣＫを搬送するＰＵＣＣＨに対するセル特定資源オフセット媒介変数を含むセル特定無線資源制御（ＲＲＣ）構成、及びＵＥ特定ＲＳベースシーケンス媒介変数とＨＡＲＱ−ＡＣＫを搬送するＰＵＣＣＨに対するＵＥ特定資源オフセット媒介変数を含む特定ＲＲＣ構成の両方をユーザ装備に伝送する段階を含む。方法は、セル特定ＲＲＣ構成またはＵＥ特定ＲＲＣ構成のうち１つに基づいて生成されるＰＵＣＣＨを受信する段階をさらに含む。
【発明の効果】
【０００９】
本発明によれば、受信機のデコーディング性能は、最適の順序を捜すために可能なすべてのデコーディング順序を検索する受信機に比べて複雑ではなく、任意にまたはあらかじめ定められた順序にストリームをデコーディングする受信機に比べて改善される。
【００１０】
本発明及びその利点に対するさらに完全な理解のために、以下、添付の図面とともに取られた次の説明に対する参照が行われ、ここで、同一の参照番号は、同一の部分を示す。
【図面の簡単な説明】
【００１１】
【図１】図１は、本発明の実施形態によってデータストリームをデコーディングすることができる直交周波数分割多重接続（ＯＦＤＭＡ）無線ネットワークを示す。
【図２ａ】図２ａは、本発明の実施形態によるＯＦＤＭＡ送信機の高い水準のダイヤグラムである。
【図２ｂ】図２ｂは、本発明の実施形態によるＯＦＤＭＡ受信機の高い水準のダイヤグラムである。
【図３】図３は、本発明の実施形態によるＬＴＥシステムの例示的なＯＦＤＭフレームを示す。
【図４】図４は、本発明の実施形態による基地局及び加入者局間のメッセージに対する流れ図を示す。
【図５】図５は、本発明の実施形態によるＤＬ搬送波のチャネル制御要素（ＣＣＥ）資源を示す。
【図６】図６は、本発明の実施形態によってアップリンク（ＵＬ）搬送波でＲＢにあるＬＴＥ物理的アップリンク制御チャネル（ＰＵＣＣＨ）資源パーティションを示す。
【図７】図７は、本発明の実施形態によってデータストリームをデコーディングすることができる無線ネットワークを示す。
【図８ａ】図８ａ及び図８ｂは、本発明の実施形態によって干渉加入者に指定されるＰＵＣＣＨ物理的資源ブロックを示す。
【図８ｂ】図８ａ及び図８ｂは、本発明の実施形態によって干渉加入者に指定されるＰＵＣＣＨ物理的資源ブロックを示す。
【図９】図９は、向上したＰＤＣＣＨ（Ｅ−ＰＤＣＣＨ）が本発明の実施形態によって物理的ダウンリンク共有チャネル（ＰＤＳＣＨ）領域に配置されるダウンリンク資源を示す。
【発明を実施するための形態】
【００１２】
以下の発明の詳細な説明に先立って、本特許文書で使用される任意の単語及び句に対する定義：用語”含む”だけでなく、その派生語は、制限なしに含むことを意味し；用語”または”は、包括的意味及び／またはであり；句”と関連した（ａｓｓｏｃｉａｔｅｄ  ｗｉｔｈ）”及び”これと関連した（ａｓｓｏｃｉａｔｅｄ  ｔｈｅｒｅｗｉｔｈ）”だけでなく、その派生語は、含み、内に含まれ、と相互連結し、に連結するかまたは連結し、に結合するかまたは結合し、と通信することができ、と協力し、インターリーブし、併置し、に近接し、にバウンドされるかまたはバウンドされ、の属性を有し、などを意味することができ；用語”制御機”は、少なくとも１つの動作を制御する任意の装置、システムまたはその部品を意味し、このような装置は、ハードウェア、ファームウエア、ソフトウェア、またはこれらのうち少なくとも２つの任意の組合で具現されることができる。
【００１３】
任意の特定制御機と関連した機能は、局所的でも遠隔的でも中央集中されるかまたは分散されることができるということに注目されなければならない。任意の単語及び句に対する定義は、本特許文書に提供され、当業者は、大部分の場合ではなくても、多くの場合に、このような定義がこのような定義された単語及び句の以前使用だけでなく、以後の使用にも適用するということを理解しなければならない。
【００１４】
以下で論議された図１〜図９、及び本特許文書で本発明の原理を説明するのに使用される多様な実施形態は、ただ例示的であり、どんなふうでも本発明の範疇を制限するものと解釈されてはならない。当業者は、本発明の原理が任意の適切に配置された無線通信ネットワークで具現されることができるということを理解することができる。
【００１５】
次の説明については、３ＧＰＰ  ＬＴＥ（Ｌｏｎｇ  Ｔｅｒｍ  Ｅｖｏｌｕｔｉｏｎ）用語”ノードＢ”は、以下に使用される”基地局”に対する他の用語であることに注目される。また、ＬＴＥ用語”ユーザ装備”または”ＵＥ”は、以下に使用される”加入者局”に対する他の用語である。
【００１６】
次の標準説明：３ＧＰＰ  Ｔｅｃｈｎｉｃａｌ  Ｓｐｅｃｉｆｉｃａｔｉｏｎ  Ｎｏ．３６．２１１、バージョン１０．１．０、”Ｅ−ＵＴＲＡ、Ｐｈｙｓｉｃａｌ  Ｃｈａｎｎｅｌｓ  Ａｎｄ  Ｍｏｄｕｌａｔｉｏｎ”；．３ＧＰＰ  Ｔｅｃｈｎｉｃａｌ  Ｓｐｅｃｉｆｉｃａｔｉｏｎ  Ｎｏ．３６．２１２、バージョン１０．１．０、”Ｅ−ＵＴＲＡ、Ｍｕｌｔｉｐｌｅｘｉｎｇ  Ａｎｄ  Ｃｈａｎｎｅｌ  Ｃｏｄｉｎｇ”；及び３ＧＰＰ  Ｔｅｃｈｎｉｃａｌ  Ｓｐｅｃｉｆｉｃａｔｉｏｎ  Ｎｏ．３６．２１３、バージョン１０．１．０、”Ｅ−ＵＴＲＡ、Ｐｈｙｓｉｃａｌ  Ｌａｙｅｒ  Ｐｒｏｃｅｄｕｒｅｓ”は、ここに完全に説明されたように本発明に結果的に統合される。
【００１７】
図１は、本発明の一実施形態によってデータストリームをデコーディングすることができる例示的な無線ネットワーク１００を示す。図示の実施形態で、無線ネットワーク１００は、基地局（ＢＳ）１０１、基地局（ＢＳ）１０２、及び基地局（ＢＳ）１０３を含む。基地局１０１は、基地局１０２及び基地局１０３と通信する。基地局１０１は、また、インターネット、私設（ｐｒｏｐｒｉｅｔａｒｙ）インターネットプロトコル（ＩＰ）ネットワークまたは他のデータネットワークのようなＩＰネットワーク１３０と通信する。
【００１８】
基地局１０２は、基地局１０１を介してネットワーク１３０、及び基地局１０２のカバレージ領域１２０内の第１複数のユーザ装備に無線広帯域アクセスを提供する。第１複数のユーザ装備は、ユーザ装備（ＵＥ）１１１、ユーザ装備（ＵＥ）１１２、ユーザ装備（ＵＥ）１１３、ユーザ装備（ＵＥ）１１４、ユーザ装備（ＵＥ）１１５及びユーザ装備（ＵＥ）１１６を含む。ユーザ装備（ＵＥ）は、移動電話、モバイルＰＤＡ及び任意の移動局（ＭＳ）のような任意の無線通信装置であることができるが、これに制限されない。例示的な実施形態で、ＵＥ  １１１は、小規模企業（ＳＢ）に位置することができ、ＵＥ  １１２は、エンタープライズ（Ｅ）に位置することができ、ＵＥ  １１３は、Ｗｉ−Ｆｉホットスポット（ＨＳ）に位置することができ、ＵＥ  １１４は、第１レジデンス（ｒｅｓｉｄｅｎｃｅ）に位置することができ、ＵＥ  １１５は、第２レジデンスに位置することができ、ＵＥ  １１６は、モバイル（Ｍ）装置であることができる。
【００１９】
基地局１０３は、基地局１０１を介してネットワーク１３０、及び基地局１０３のカバレージ領域１２５内の第２複数のユーザ装備に無線広帯域アクセスを提供する。第２複数のユーザ装備は、ユーザ装備１１５及びユーザ装備１１６を含む。代案的な実施形態で、基地局１０２及び１０３は、間接的に基地局１０１を介してよりは、光ファイバ、ＤＳＬ、ケーブルまたはＴ１／Ｅ１ラインのような有線広帯域連結によってインターネットに直接連結されることができる。
【００２０】
他の実施形態で、基地局１０１は、多少の基地局と通信することができる。さらに、図１には、６個のユーザ装備だけが示されているが、無線ネットワーク１００は、７個以上のユーザ装備に無線広帯域アクセスを提供することができるということが理解される。ユーザ装備１１５及びユーザ装備１１６は、カバレージ領域１２０及びカバレージ領域１２５の両方の端部に位置するということに注目される。ユーザ装備１１５及びユーザ装備１１６は、各々基地局１０２及び基地局１０３の両方と通信し、当業者に知られたように、ハンドオフモードで動作するものと呼ばれることができる。
【００２１】
例示的な実施形態で、基地局１０１−１０３は、例えばＩＥＥＥ−８０２．１６ｅ標準のようなＩＥＥＥ−８０２．１６無線首都圏（ｍｅｔｒｏｐｏｌｉｔａｎ  ａｒｅａ）ネットワーク標準を使用して互いに通信し、ユーザ装備１１１−１１６と通信することができる。しかし、他の実施形態で、例えば、ＨＩＰＥＲＭＡＮ無線首都圏ネットワーク標準のように異なる無線プロトコルが採用されることができる。基地局１０１は、無線バックホール（ｂａｃｋｈａｕｌ）に使用される技術によって基地局１０２及び基地局１０３と直接可視線（ｌｉｎｅ−ｏｆ−ｓｉｇｈｔ）または非可視線を介して通信することができる。基地局１０２及び基地局１０３は、各々ＯＦＤＭ及び／または０ＦＤＭＡ技術ユーザ装備を使用してユーザ装備１１１−１１６と非可視線を介して通信することができる。
【００２２】
基地局１０２は、Ｔ１水準のサービスをエンタープライズと関連したユーザ装備１１２に提供し、部分Ｔ１水準のサービスを小企業と関連したユーザ装備１１１に提供することができる。基地局１０２は、空港、カフェー、ホテルまたは大学キャンパスに位置することができるＷｉ−Ｆｉと関連したユーザ装備１１３に無線バックホールを提供することができる。基地局１０２は、デジタル加入者回線（ＤＳＬ）水準のサービスをユーザ装備１１４、１１５及び１１６に提供することができる。
【００２３】
ユーザ装備１１１−１１６は、音声、データ、ビデオ、ビデオ画像会議及び／または他の広帯域サービスにアクセスするためにネットワーク１３０に対する広帯域アクセスを使用することができる。例示的な実施形態で、ユーザ装備１１１−１１６のうち１つ以上は、Ｗｉ−ＦｉＷＬＡＮのアクセスポイント（ＡＰ）と関連することができる。ユーザ装備１１６は、無線可能ラップトップコンピュータ、個人携帯情報ＵＥ機、ノートパソコン、ハンドヘルド装置または他の無線可能装置を含む多数のモバイル装置のうちいずれか１つであることができる。ユーザ装備１１４及び１１５、例えば、無線可能個人用コンピュータ、ラップトップコンピュータ、ゲートウェイまたは他の装置であることができる。
【００２４】
点線は、例示的で説明のみのためにほぼ円形で示されるカバレージ領域１２０及び１２５の概略的な範囲を示す。基地局と関連したカバレージ領域、例えば、カバレージ領域１２０及び１２５は、自然及び人工的な障害物と関連した無線環境の変化及び基地局の構成によって不規則な形状を含む他の形状を有することができるということが明白に理解されなければならない。
【００２５】
また、基地局と関連したカバレージ領域は、時間が経つにつれて一定ではなく、基地局及び／またはユーザ装備の伝送電力レベル、気象条件及び他の要因の変更に基づいて（形状を拡張、収縮または変更する）動的であることができる。実施形態で、基地局のカバレージ領域、例えば、基地局１０２及び１０３のカバレージ領域１２０及び１２５の半径は、基地局から２未満ｋｍないし約５０ｋｍの範囲内に延長することができる。
【００２６】
本技術分野によく知られているように、基地局１０１、１０２または１０３のような基地局は、カバレージ領域内で複数のセクターを支援するために指向性アンテナを採用することができる。図１で、基地局１０２及び１０３は、各々概略的にカバレージ領域１２０及び１２５の中心に示されている。他の実施形態で、指向性アンテナの使用は、例えば円錐形状または船形状のカバレージ領域の地点でカバレージ領域の端近くに基地局を位置させることができる。
【００２７】
基地局１０１からのネットワーク１３０に対する連結は、中央事務室または他の運営会社のＰＯＰ（ｐｏｉｎｔ−ｏｆ−ｐｒｅｓｅｎｃｅ）に位置するサーバーに対する広帯域連結、例えば、光ファイバ回線を含むことができる。サーバーは、インターネットプロトコル基盤の通信のためのインターネットゲートウェーと音声基盤の通信のための公衆電話交換ネットワークゲートウェイに通信を提供することができる。ＶｏＩＰ（ｖｏｉｃｅ−ｏｖｅｒ−ＩＰ）の形態の音声基盤の通信の場合に、トラフィックは、ＰＳＴＮゲートウェイの代りに、インターネットゲートウェーに直接伝送されることができる。サーバー、インターネットゲートウェー及び公衆電話交換ネットワークゲートウェイは、図１に示されていない。他の実施形態で、ネットワーク１３０に対する連結は、異なるネットワークノード及び装備によって提供されることができる。
【００２８】
本発明の実施形態によれば、基地局１０１−１０３のうち１つ以上及び／またはユーザ装備１１１−１１６のうち１つ以上は、ＭＭＳＥ−ＳＩＣアルゴリズムを使用して複数の伝送アンテナから組み合わせられたデータストリームで受信された複数のデータストリームをデコーディングするために動作することができる受信機を含む。以下にさらに詳しく説明されるように、受信機は、データストリームの強度と関連した特性に基づいて計算される各データストリームに対するデコーディング予測メトリックに基づいてデータストリームに対するデコーディング順序を決定するために動作することができる。したがって、一般的に、受信機は、まず、最も強力なデータストリームをデコーディングしてから、次に強力なデータストリームの順にデコーディングすることができる。結果的に、受信機のデコーディング性能は、最適の順序を捜すために可能なすべてのデコーディング順序を検索する受信機に比べて複雑ではなく、任意にまたはあらかじめ定められた順序でストリームをデコーディングする受信機に比べて改善される。
【００２９】
図２ａは、直交周波数分割多重接続（０ＦＤＭＡ）伝送経路の高い水準のダイヤグラムである。図２ｂは、直交周波数分割多重接続（０ＦＤＭＡ）受信経路の高い水準のダイヤグラムである。図２ａ及び図２ｂで、ＯＦＤＭＡ伝送経路は、基地局（ＢＳ）１０２で具現され、ＯＦＤＭＡ受信経路は、例示的で説明のみのためにユーザ装備（ＵＥ）１１６で具現される。しかし、ＯＦＤＭＡ受信経路は、また、ＢＳ  １０２で具現されることができ、ＯＦＤＭＡ伝送経路は、ＵＥ  １１６で具現されることができるということが当業者によって理解される。
【００３０】
ＢＳ  １０２の伝送経路は、チャネルコーディング及び変調ブロック２０５、直列−並列（Ｓ−Ｐ）ブロック２１０、サイズＮ逆高速フーリエ変換（ＩＦＦＴ）ブロック２１５、並列−直列（Ｐ−Ｓ）ブロック２２０、追加の周期的プレフィックス（ａｄｄ  ｃｙｃｌｉｃ  ｐｒｅｆｉｘ）ブロック２２５、上向き変換器（ＵＣ）２３０を含む。ＵＥ  １１６の受信経路は、下向き変換器（ＤＣ）２５５、除去の周期的プレフィックスブロック２６０、直列−並列（Ｓ−Ｐ）ブロック２６５、サイズＮ高速フーリエ変換（ＦＦＴ）ブロック２７０、並列−直列（Ｐ−Ｓ）ブロック２７５、チャネルデコーディング及び復調ブロック２８０を含む。
【００３１】
図２ａ及び図２ｂの構成要素のうち少なくとも一部は、ソフトウェアで具現されることができるが、他の構成要素は、構成可能なハードウェアまたはソフトウェア及び構成可能なハードウェアの混合物によって具現されることができる。特に、本発明の文書に説明されたＦＦＴブロック及びＩＦＦＴブロックは、サイズＮの値が具現によって修正されることができる構成可能なソフトウェアアルゴリズムで具現されることができるということに注目される。
【００３２】
さらに、本発明が高速フーリエ変換及び逆高速フーリエ変換を具現する実施形態に関するが、これは、例示のみのためのものであり、本発明の範疇を制限するものと解釈されてはならない。本発明の代案的な実施形態で、高速フーリエ変換関数及び逆高速フーリエ変換関数は、各々離散フーリエ変換（ＤＦＴ）関数及び逆離散フーリエ変換（ＩＤＦＴ）関数に容易に代替されることができるということが理解される。ＤＦＴ及びＩＤＦＴ関数に対して、Ｎ変数の値は、任意の定数（すなわち、１、２、３、４など）であることができるが、ＦＦＴ及びＩＦＦＴ関数に対してＮ変数の値は、２の累乗（すなわち、１、２、４、８、１６など）であることができるということが理解される。
【００３３】
ＢＳ  １０２で、チャネルコーディング及び変調ブロック２０５は、情報ビットのセットを受信し、コーディング（例えば、ターボ（Ｔｕｒｂｏ）コーディング）を適用し、周波数ドメインの変調シンボルのシーケンスを生成するために入力ビットを変調させる（例えば、ＱＰＳＫ、ＱＡＭ）。直列−並列ブロック２１０は、Ｎ並列シンボルストリームを生成するために直列変調されたシンボルを並列データに変換し（すなわち、逆多重化し）、Ｎは、ＢＳ  １０２及びＵＥ  １１６で使用されるＩＦＦＴ／ＦＦＴサイズである。その後、サイズＮＩＦＦＴブロック２１５は、時間ドメイン出力信号を生成するためにＮの並列シンボルストリームに対するＩＦＦＴ動作を行う。並列−直列ブロック２２０は、直列時間ドメイン信号を生成するためにサイズＮＩＦＦＴブロック２１５から並列時間ドメイン出力シンボルを変換する（すなわち、多重化する）。次に、追加の周期的プレフィックスブロック２２５は、周期的プレフィックスを時間ドメイン信号に挿入する。最後に、上向き変換器２３０は、無線チャネルを介して伝送するために追加の周期的プレフィックスブロック２２５の出力をＲＦ周波数に変調する（すなわち、上向き変換する）。信号は、また、ＲＦ周波数に変換する前に基底帯でフィルタリングされることができる。
【００３４】
伝送されたＲＦ信号は、無線チャネルを介して通過した後、ＵＥ  １１６に到逹し、ＢＳ  １０２での動作に対する逆方向動作が行われる。下向き変換器２５５は、受信された信号を基底帯周波数に下向き変換し、除去周期的プレフィックスブロック２６０は、直列時間ドメイン基底帯信号を生成するために周期的プレフィックスを除去する。直列−並列ブロック２６５は、時間ドメイン基底帯信号を並列時間ドメイン信号に変換する。次に、サイズＮＦＦＴブロック２７０は、Ｎ並列周波数ドメイン信号を生成するためにＦＦＴアルゴリズムを行う。並列−直列ブロック２７５は、並列周波数ドメイン信号を変調されたデータシンボルのシーケンスに変換する。チャネルデコーディング及び復調ブロック２８０は、復調し、元々の入力データストリームを復旧するために変調されたシンボルをデコーディングする。
【００３５】
基地局１０１−１０３のそれぞれは、ダウンリンクでユーザ装備１１１−１１６に伝送するものと類似な伝送経路を具現することができ、アップリンクでユーザ装備１１１−１１６から受信するものと類似な受信経路を具現することができる。同様に、ユーザ装備１１１−１１６のそれぞれは、アップリンクで基地局１０１−１０３に伝送するためのアキテクチャーに相当する伝送経路を具現することができ、ダウンリンクで基地局１０１−１０３から受信するためのアキテクチャーに相当する受信経路を具現することができる。本発明は、基地局構成に関連した情報をユーザ装備に伝達する方法及びシステムを示し、特に、基地局アンテナ構成をユーザ装備に中継することに関する。このような情報は、アンテナ構成を直交位相シフトキーイング（ＱＰＳＫ）コンステレーション（ｃｏｎｓｔｅｌｌａｔｉｏｎ）（例えば、ｎ−直交振幅変調（ＱＡＭ）信号、ｎは、２Λｘである）に配置する段階、及びアンテナ構成をエラー訂正データ（例えば、周期的重複検査（ＣＲＣ）データ）に配置する段階を含む複数の方法により伝達することができる。アンテナ情報をＱＰＳＫコンステレーションまたはエラー訂正データのうち１つでエンコードすることによって、基地局１０１−１０３は、アンテナ構成を別に伝送せずに、基地局１０１−１０３のアンテナ構成を伝達することができる。このようなシステム及び方法は、基地局１０１−１０３と複数のユーザ装備との間に信頼性ある通信を保証しながらオーバーヘッドを減少させることができる。
【００３６】
ここに開示された一部の実施形態で、データは、ＱＡＭを使用して伝送される。ＱＡＭは、２つの搬送波の振幅を変調させてデータを伝達する変調方式である。このような２つの搬送波は、直交搬送波と指称され、一般的に９０度だけ互いに位相が異なる。ＱＡＭは、２Λｘ点を含むコンステレーションで示すことができ、ここで、ｘは、１より大きい整数である。ここで論議された実施形態で、論議されたコンステレーションは、４個の点コンステレーション（４−ＱＡＭ）である。４−ＱＡＭコンステレーションで、２次元グラフは、２次元グラフの各四分面で１つの点で示す。しかし、ここに論議された革新（ｉｎｎｏｖａｔｉｏｎ）は、コンステレーションの多くの点と共にどんな変調方式で使用されることができるということが明示上に理解される。５以上の点を有するコンステレーションで、基地局１０１−１０３の構成に関する追加的な情報（例えば、基準電力信号）は、開示されたシステム及び方法によって伝達することができるということが追加に理解される。
【００３７】
基地局１０１−１０３内の送信機は、実際にデータを伝送する前に複数の機能を行うということが理解される。４−ＱＡＭ実施形態で、ＱＡＭ変調されたシンボルは、直列−並列変換されて、逆高速フーリエ変換（ＩＦＦＴ）に入力される。ＩＦＦＴの出力では、Ｎ時間ドメインサンプルが獲得される。開示された実施形態で、Ｎは、ＯＦＤＭシステムによって使用されるＩＦＦＴ／高速フーリエ変換（ＦＦＴ）サイズを示す。ＩＦＦＴ後の信号は、並列−直列変換され、周期的プレフィックス（ＣＰ）は、信号シーケンスに追加される。生成されたサンプルのシーケンスは、ＯＦＤＭシンボルと言う。
【００３８】
ユーザ装備内の受信機で、このようなプロセスは、反対になり、周期的プレフィックスが先に除去される。その後、信号は、ＦＦＴに供給される前に直列−並列変換される。ＦＦＴの出力は、並列−直列変換され、生成されたＱＡＭ変調シンボルは、ＱＡＭ復調器に入力される。
【００３９】
ＯＦＤＭシステムの全体帯域幅は、副搬送波という狭帯域周波数単位に分割される。副搬送波の数は、システムに使用されたＦＦＴ／ＩＦＦＴサイズＮと同一である。一般的に、周波数スペクトルの端部で一部の副搬送波が保護（ｇｕａｒｄ）副搬送波として予約されているので、データに使用される副搬送波の数は、Ｎより小さい。一般的に、情報は、保護副搬送波で伝送されない。
【００４０】
図３は、本発明の実施形態によるＬＴＥシステムの例示的なＯＦＤＭフレームを示す。図３に示されたフレーム３００の実施形態は、ただ例示のためのものである。ＬＴＥフレームの他の実施形態は、本発明の範疇を逸脱することなく使用されることができる。
【００４１】
ＬＴＥシステムの時間資源は、１０ミリ秒（１０ｍｓｅｃ）フレーム３００に分割される。各フレーム３００は、さらに１０個のサブフレーム３１０−３１９に分割される。各サブフレーム３１０−３１９は、さらに２個の時間スロット３２０、３２５に分けられる。２個の時間スロット３２０、３２５は、各々０．５ミリ秒（０．５ｍｓｅｃ）である。
【００４２】
図４は、本発明の実施形態によって基地局とユーザ装備間のメッセージに対する流れ図を示す。図４に示された流れ図の実施形態は、ただ例示のためのものである。流れ図の他の実施形態は、本発明の範疇を逸脱することなく使用されることができる。
【００４３】
ＢＳ  １０２は、ＵＥ  １１６へのＤＬ伝送をスケジューリングし開始する。ＤＬ伝送で各サブフレーム３１０−３１９に対して、ＢＳ  １０２は、ＤＬ制御情報（ＤＣＩ）をＰＤＣＣＨのＵＥ  １１６に伝送する。ＤＣＩは、サブフレーム３１０−３１９で初めていくつかのＯＦＤＭシンボル内に位置する。例えば、ＤＣＩは、サブフレーム３１０、３１１及び３１２のうち１つ以上に位置することができる。ＤＣＩは、（図３に示されたように）時間スロット３２０、３２５で、ＤＬ搬送波３３０）で使用されるシンボルのうち１つに位置することができる。ＤＣＩは、ＵＥ  １１６に対する割り当てられたＲＢだけでなく追加的な情報を示す。
【００４４】
ＵＥ  １１６をターゲットとするＤＬ承認の受信時に、ＵＥ  １１６は、割り当てられたＲＢに対して伝送されたメッセージをデコーディングすることを試みる。各伝送されたサブフレーム３１０−３１９に対するデコーディング結果によって、ＵＥ  １１６は、ハイブリッドＡＲＱビット（またはアップリンクＡＣＫ／ＮＡＣＫビット）を後でいくつかのサブフレームに対してＢＳ  １０２に伝送する。例えば、周波数分割デュプレックス（ＦＤＤ）システムで、ＵＥ  １１６は、サブフレームｎ−４で受信されたＤＣＩ  ４１０に対するデコーディング結果に応答してサブフレームｎでＡＣＫ／ＮＡＣＫ応答４０５を伝送する。
【００４５】
図５は、ＤＬ搬送波でのチャネル制御要素（ＣＣＥ）を示す。図５に示されたＣＣＥ  ５００の実施形態は、ただ例示のためのものである。ＣＣＥの他の実施形態は、本発明の範疇を逸脱することなく使用されることができる。
【００４６】
ＤＣＩを搬送するＰＤＣＣＨは、１つ以上の連続ＣＣＥ  ５００のアグリゲイション（ａｇｇｒｅｇａｔｉｏｎ）で伝送される。ＤＬ搬送波３３０で利用することができるＣＣＥ  ５００は、０からＮＣＣＥ−１まで番号が付けられる。
【００４７】
ＣＣＥ  ５００は、ダウンリンク承認を伝送ために使用される制御要素である。ＵＥ  １１６は、ＵＥ  １１６に割り当てられたダウンリンク承認を決定するためにＣＣＥ  ５００を読み取る。例えば、ＣＣＥ‘０１２’がＵＥ  １１６に伝送されれば、ＵＥ  １１６は、ＣＣＥ‘０１２’がＵＥ  １１６に割り当てられることを判断する。したがって、ＵＥ  １１６は、ＣＣＥのコンテンツを見るだけでなく、コンテンツが伝送される位置を見る。したがって、一部の実施形態で、ＵＥ  １１６は、何のＣＣＥがダウンリンク承認に使用されるかに基づいて応答（例えば、ＡＣＫ／ＮＡＣ）するに使用するどんな資源を把握している。
【００４８】
図６は、アップリンク（ＵＬ）搬送波でＲＢにあるＬＴＥ物理的アップリンク制御チャネル（ＰＵＣＣＨ）資源パーティションを示す。図６に示されたＰＵＣＣＨパーティション６００の実施形態は、ただ例示のためのものである。ＣＣＥの他の実施形態は、本発明の範疇を逸脱することなく使用されることができる。
【００４９】
ＵＬ  ＡＣＫ／ＮＡＣＫ（ＡＮ）ビットは、ＰＵＣＣＨフォーマット１ａ及び１ｂで伝送される。ＰＵＣＣＨフォーマット１ａ／１ｂの伝送に使用される資源は、負ではないインデックス
【数１】
0006328720.tif 000002
で示す。ハイブリッド自動繰り返し要請（ＨＡＲＱ）−ＡＣＫ／ＮＣＡＫに対するＰＵＣＣＨ資源インデックス
【数２】
0006328720.tif 000003
は、直交カバー６０５及び周期的シフト６１０を決定する。直交カバー６０５及び周期的シフト６１０は、固有資源を示す。例えば、３６（例えば、３ｘ１２）ＰＵＣＣＨ  ＡＮ資源は、１つのＲＢで利用することができる。
【００５０】
図７は、本発明の実施形態によってデータストリームをデコーディングすることができるネットワーク７００を示す。図７に示されたネットワーク７００の実施形態は、ただ例示のためのものである。他の実施形態は、本発明の範疇を逸脱することなく使用されることができる。
【００５１】
図示の実施形態で、ユーザ装備（ＵＥ）７１３及び７１４は、ローカル基地局７０１ａ及び７０１ｂを介して
【数３】
0006328720.tif 000004
のセルＩＤを有する基地局（ＢＳ）７０１に連結される。ユーザ装備７１１は、ＢＳ  ７０１に直接連結される。代案的に、ＵＥ７１２及び７１５は、
【数４】
0006328720.tif 000005
のセルＩＤを有するＢＳ  ７０２に連結される。
【００５２】
ＢＳ  ７０１に連結されたＵＥ  ７１３及び７１４は、互いに離れて位置する。異なるＢＳ７０２に連結されたＵＥ  ７１２及び７１５は、また、互いに離れて位置する。しかし、ＵＥ７１１及び７１２は、近接して位置するが、２個の異なる基地局に連結され、すなわち、ＵＥ７１１は、ＢＳ  ７０１に連結され、ＳＳ  ７１２は、ＢＳ  ７０２に連結される。
【００５３】
指定された臨界値の上で他のユーザ装備を妨害するように近接して位置し、各々他のユーザ装備と異なるセルに連結されるユーザ装備は、本発明に対する’高い干渉ユーザ装備（ｈｉｇｈ  ｉｎｔｅｒｆｅｒｉｎｇ  ｕｓｅｒｅ  ｑｕｉｐｍｅｎｔ）’で示す。例えば、図７に示されたＵＥ  ７１１及び７１２は、高い干渉ユーザ装備である。指定された臨界値は、サービス提供者の要求事項を満たすために多様な水準で調整されることができる。
【００５４】
ある実施形態で、ネットワーク７００は、セル特定無線資源制御（ＲＲＣ）構成及びＵＥ特定ＲＲＣ構成の両方をユーザ装備に伝送することができる。セル特定ＲＲＣ構成は、ＰＵＣＣＨ  ＨＡＲＱ−ＡＣＫに対するセル特定資源オフセット媒介変数を含むことができる。ＵＥ特定構成は、ＵＥ特定ＲＳベースシーケンス媒介変数及びＰＵＣＣＨ  ＨＡＲＱ−ＡＣＫに対するＵＥ特定資源オフセット媒介変数を含むことができる。
【００５５】
ＵＥ特定ＲＲＣ構成がユーザ装備に適用可能ならば、ユーザ装備は、ＵＥ特定ＲＳベースシーケンス媒介変数及びＰＵＣＣＨ  ＨＡＲＱ−ＡＣＫに対するＵＥ特定資源オフセット媒介変数を使用して生成されたＵＥ特定ＲＳに生成されるＨＡＲＱ−ＡＣＫを搬送するＵＥ特定ＰＵＣＣＨを伝送することができる。
【００５６】
ＵＥ特定ＲＲＣ構成がユーザ装備に適用することができなければ、ユーザ装備は、ＰＵＣＣＨ  ＨＡＲＱ−ＡＣＫに対するセル特定資源オフセット媒介変数を使用して生成されたセル特定基準信号に生成されるＨＡＲＱ−ＡＣＫを搬送するセル特定ＰＵＣＣＨを伝送することができる。
【００５７】
ある実施形態で、ネットワーク７００は、同一のＵＥ特定ＲＳベースシーケンス及びＵＥ特定資源オフセット媒介変数を干渉が指定された臨界値より高いＵＥ  ７１１及び７１２に伝送することができる。したがって、高い干渉ＵＥ  ７１１及び７１２は、同一のＵＥ特定ＲＲＣ構成を使用して生成されるＨＡＲＱ−ＡＣＫ情報を搬送する調整されたＰＵＣＣＨを伝送することができる。
【００５８】
ある実施形態で、ネットワーク７００は、干渉が指定された臨界値より低いＵＥ  ７１３、７１４及び７１５のようなＵＥにＵＥ特定ＲＲＣ構成を伝送することができる。したがって、低い干渉ＵＥは、ＵＥ特定ＲＲＣ構成に基づいて生成されるＨＡＲＱ−ＡＣＫ情報を搬送するＵＥ特定ＰＵＣＣＨを伝送することができる。
【００５９】
実施形態で、ネットワーク７００は、同一のＵＥ特定ＲＳ構成ベースシーケンス媒介変数をＵＥ  ７１１及び７１２に伝送することができる。ＵＥ  ７１１及び７１２は、同一のＲＳベースシーケンス１を使用してＨＡＲＱ−ＡＣＫを搬送するＰＵＣＣＨを伝送する。したがって、ＵＥ  ７１１及び７１２は、相互小さいＵＬ干渉を誘発させる。一方、ＵＥ  ７１３、７１４及び７１５は、各々ＲＳベースシーケンス２、３及び４人ＵＥ特定ＲＳベースシーケンスで生成されたＵＥ特定ＰＵＣＣＨを伝送する。したがって、ユーザ装備から伝送されたＰＵＣＣＨは、互いに直交することができる。前述したように、高い干渉または低い干渉を決定する臨界値は、サービス提供者の多様な要求事項を満たすように調整されることができる。
【００６０】
図８ａ及び図８ｂは、本発明の実施形態によって干渉ユーザ装備に明示されるＰＵＣＣＨ物理的資源ブロックを示す。図８ａ及び図８ｂに示されたＰＵＣＣＨ物理的資源ブロックの実施形態は、ただ例示のためのものである。他の実施形態は、本発明の範疇を逸脱することなく使用されることができる。ＵＥ  ７１１及び７１２は、同一のＲＳベースシーケンス１を使用してＨＡＲＱ−ＡＣＫを搬送する調整されたＰＵＣＣＨを伝送する。したがって、ＵＥ  ７１１及び７１２は、互いにＵＬ干渉を減少させることができる。
【００６１】
ある実施形態で、ＰＵＣＣＨに対する資源インデックス数、
【数５】
0006328720.tif 000006
は、次の式によって決定される：
【数６】
0006328720.tif 000007
式１で、
【数７】
0006328720.tif 000008
は、ＰＵＣＣＨがＨＡＲＱ−ＡＣＫ情報を搬送するＰＤＳＣＨをスケジューリングする相当するダウンリンク制御情報の伝送のために使用される最も小さいチャネル制御要素（ＣＣＥ）の数であり、
【数８】
0006328720.tif 000009
は、ＵＥ特定ＲＲＣ構成がユーザ装備に適用可能な場合には、ＵＥ特定資源オフセット媒介変数であり、そうではなければ、
【数９】
0006328720.tif 000010
は、セル特定資源オフセット媒介変数である。
【００６２】
ある実施形態で、ＵＥ特定ＲＲＣ構成は、ＵＥ特定ＲＲＣ構成またはセル特定ＲＲＣ構成がユーザ装備に適用することができるかを示す表示媒介変数を含むことができる。表示媒介変数は、ＴＲＵＥまたはＦＡＬＳＥの値を有することができ、ＴＲＵＥは、ＵＥ特定ＲＲＣ構成がユーザ装備に適用することができるということを意味し、ＦＡＬＳＥは、セル特定ＲＲＣ構成がユーザ装備に適用することができるということを意味する。
【００６３】
ある実施形態で、
【数１０】
0006328720.tif 000011
は、Ｔａｂｌｅ  ６．１０．５．２−１  ｉｎ  ３ＧＰＰ  ＴＳ  ３６．２１１、ｖｅｒｓｉｏｎ  １０．１．０、”Ｅ−ＵＴＲＡ、Ｐｈｙｓｉｃａｌ  Ｃｈａｎｎｅｌｓ  Ａｎｄ  Ｍｏｄｕｌａｔｉｏｎ”で定義された０ではないＣＳＩ−ＲＳ伝送電力と関連したＣＳＩ−ＲＳ構成数のうち少なくとも１つから導出されることができ、その内容は、結果的に参照として統合され、次のように本発明に対するＮＣＳＩ−ＲＳで示す：
【００６４】
ＮＣＳＩ−ＲＳは、ユーザ装備がＰＤＣＣＨを受信する主要基地局のＣＳＩ−ＲＳ構成数であることができる。
【００６５】
ＮＣＳＩ−ＲＳは、このようなすべてのＣＳＩ−ＲＳ構成数のうち最も小さいＣＳＩ−ＲＳ構成数であることができ、ＮＣＳＩ−ＲＳは、このようなすべてのＣＳＩ−ＲＳ構成数のうち最も大きいＣＳＩ−ＲＳ構成数であることができるか、ＮＣＳＩ−ＲＳは、最も小さいサブフレーム構成を有するＣＳＩ−ＲＳ構成数、ＣＳＩ−ＲＳサブフレーム周期を構成するＲＲＣ媒介変数であることができる。最も小さいサブフレーム構成を有する２以上の構成数との関係は、最も小さいまたは最も大きいＣＳＩ−ＲＳ構成数に分けることができる。
【００６６】
ある実施形態で、ネットワークは、ＲＲＣ構成によって
【数１１】
0006328720.tif 000012
に対するＮ候補（ｃａｎｄｉｄａｔｅｓ）のセットを半静的に（ｓｅｍｉ−ｓｔａｔｉｃａｌｌｙ）構成することができ、ネットワークは、動的信号によってＮ候補のうち１つの
【数１２】
0006328720.tif 000013
を動的に示す。
【００６７】
例えば、Ｎ候補の数は、４であることができ、２ビット情報要素（ＩＥ）は、例えば、四つ（４）候補
【数１３】
0006328720.tif 000014
を生成するようにダウンリンク承認に相当するＰＤＣＣＨに含まれる。
【００６８】
【数１４】
0006328720.tif 000015
は、例示的な表１によるＩＥの値によって四つ（４）候補
【数１５】
0006328720.tif 000016
で選択されることができる。
【００６９】
【表１】
0006328720.tif 000017
【００７０】
ある実施形態で、候補の数Ｎは、２であることができ、１ビット情報要素（ＩＥ）は、例えば二つ（２）候補
【数１６】
0006328720.tif 000018
を生成するようにダウンリンク承認に相当するＰＤＣＣＨに含まれる。１つの
【数１７】
0006328720.tif 000019
は、例示的な表２によるＩＥの値によって二つ（２）候補
【数１８】
0006328720.tif 000020
で選択されることができる。
【００７１】
【表２】
0006328720.tif 000021
【００７２】
ある実施形態で、ＰＵＣＣＨに対する資源インデックス数、
【数１９】
0006328720.tif 000022
は、次の式によって決定される：
【００７３】
【数２０】
0006328720.tif 000023
式２で、
【数２１】
0006328720.tif 000024
は、ＰＵＣＣＨがＨＡＲＱ−ＡＣＫ情報を搬送するＰＤＳＣＨをスケジューリングする相当するダウンリンク制御情報の伝送のために使用される最も小さいチャネル制御要素（ＣＣＥ）の数であり、
【数２２】
0006328720.tif 000025
は、ＵＥ特定ＲＲＣ構成がユーザ装備に適用可能な場合には、ＵＥ特定資源オフセット媒介変数であり、そうではなければ、
【数２３】
0006328720.tif 000026
は、セル特定資源オフセット媒介変数である。
【００７４】
ある実施形態で、
【数２４】
0006328720.tif 000027
は、次のようにＮＣＳＩ−ＲＳのうち少なくとも１つから導出される：
【００７５】
ＮＣＳＩ−ＲＳは、ユーザ装備がＰＤＣＣＨを受信する主要基地局のＣＳＩ−ＲＳ構成数であることができ；ＮＣＳＩ−ＲＳは、このようなすべてのＣＳＩ−ＲＳ構成数のうち最も小さいＣＳＩ−ＲＳ構成数であることができ；ＮＣＳＩ−ＲＳは、このようなすべてのＣＳＩ−ＲＳ構成数のうち最も大きいＣＳＩ−ＲＳ構成数であることができるか、ＮＣＳＩ−ＲＳは、最も小さいサブフレーム構成を有するＣＳＩ−ＲＳ構成数、ＣＳＩ−ＲＳサブフレーム周期を構成するＲＲＣ媒介変数であることができる。最も小さいサブフレーム構成を有する２以上の構成数との関係は、最も小さいまたは最も大きいＣＳＩ−ＲＳ構成数に分けることができる。
【００７６】
図９は、向上したＰＤＣＣＨ（Ｅ−ＰＤＣＣＨ）がＰＤＳＣＨ領域に配置されるダウンリンク資源を示す。図９に示されたダウンリンク資源の実施形態は、ただ例示のためのものである。他の実施形態は、本発明の範疇を逸脱することなく使用されることができる。
【００７７】
Ｅ−ＰＤＣＣＨ  ９０５は、基地局内でダウンリンク（ＤＬ）制御能力を増大させ、ダウンリンク制御のためのセルガン干渉を緩和する。ある実施形態で、ＰＵＣＣＨフォーマット１／ｌａ／ｌｂ資源は、ＤＬ承認の位置によって、すなわちＰＤＣＣＨまたはＥ−ＰＤＣＣＨ  ９０５がＨＡＲＱ−ＡＣＫフィードバックと関連したＤＬ承認を伝達するのに使用されるかどうかの可否によって基準信号（ＲＳ）ベースシーケンスで生成されることができる。
【００７８】
ある実施形態で、ユーザ装備が例示的な表３に示されたようにＥ−ＰＤＣＣＨ  ９０５領域で搬送された相当するダウンリンク制御情報を受信するとき、ＰＵＣＣＨフォーマット１／ｌａ／ｌｂに対するユーザ装備の特定ＲＳベースシーケンスを生成する。ユーザ装備がＥ−ＰＤＣＣＨ  ９０５領域でＤＬ承認を受信するとき、
【数２５】
0006328720.tif 000028
マッピングに対して、式１または２は、Ｅ−ＰＤＣＣＨ  ９０５領域でＤＬ承認を搬送する第１ＣＣＥ数である
【数２６】
0006328720.tif 000029
とともに使用されることができる。
【００７９】
【表３】
0006328720.tif 000030
【００８０】
本発明の一実施形態によれば、ユーザ装備は、アップリンク（ＵＬ）基準信号（ＲＳ）ベースシーケンス
【数２７】
0006328720.tif 000031
を生成することができ、ここで、ｖは、ＰＵＣＣＨに対して０と同一であり、ｖは、ＲＲＣによるＳＲＳに対して０または１になるように構成され、シーケンスグループ数ｕは、次の式から誘導される：
【数２８】
0006328720.tif 000032
式３で、
【数２９】
0006328720.tif 000033
は、グループホッピングパターンであり、
【数３０】
0006328720.tif 000034
は、シーケンスシフトパターンである。
【数３１】
0006328720.tif 000035
は、
【数３２】
0006328720.tif 000036
が物理的アップリンク制御チャネル（ＰＵＣＣＨ）を生成するのに使用される時ＰＵＣＣＨに対するシーケンスシフトパターンと同一であるか、
【数３３】
0006328720.tif 000037
は、
【数３４】
0006328720.tif 000038
が物理的アップリンク共有チャネル（ＰＵＳＣＨ）を生成するのに使用されるとき、ＰＵＳＣＨに対するシーケンスシフトパターンと同一である。
【００８１】
グループホッピングパターン
【数３５】
0006328720.tif 000039
は、ＰＵＳＣＨ及びＰＵＣＣＨの両方に対して同一であり、次によって与えられる：
【数３６】
0006328720.tif 000040
式４で、疑似ランダムシーケンス
【数３７】
0006328720.tif 000041
は、ｓｅｃｔｉｏｎ  ７．２  ｉｎ  ３ＧＰＰ  ＴＳＮｏ．３６．２１１、ｖｅｒｓｉｏｎ  １０．１．０、“Ｅ−ＵＴＲＡ、Ｐｈｙｓｉｃａｌ  Ｃｈａｎｎｅｌｓ  Ａｎｄ  Ｍｏｄｕｌａｔｉｏｎ”によって定義され、その内容は、全体的に参照として統合される。疑似ラムドムシーケンス生成器は、各無線フレームの初期に
【数３８】
0006328720.tif 000042
で初期化されなければならない。シーケンスホッピングだけは、長さ
【数３９】
0006328720.tif 000043
の基準信号に適用する。
【００８２】
【数４０】
0006328720.tif 000044
の基準信号に対して、ベースシーケンスグループ内のベースシーケンス数ｖは、ｖ＝０によって与えられる。
【００８３】
【数４１】
0006328720.tif 000045
の基準信号に対して、スロット
【数４２】
0006328720.tif 000046
のベースシーケンスグループ内のベースシーケンス数ｖは、次によって定義される：
【００８４】
【数４３】
0006328720.tif 000047
【００８５】
ＲＲＣによって提供される媒介変数シーケンスホッピング可能は、シーケンスホッピングが可能であるか否かを判断する。ＰＵＳＣＨに対するシーケンスホッピングは、上位階層媒介変数を介してどんなユーザ装備に対して不可能になることができる。それにもかかわらず、ディスエイブル（ｄｉｓａｂｌｅ）シーケンスグループホッピングは、セル別に可能になる。疑似ランダムシーケンス生成器は、各無線フレームの初期に
【数４４】
0006328720.tif 000048
で初期化されなければならない。
シーケンスグループホッピング（ＳＧＨ）がターンオンされる実施形態で、シーケンスホッピング（ＳＨ）初期化シード（ｓｅｅｄ）は、次によって決定される：
【００８６】
【数４５】
0006328720.tif 000049
【００８７】
式６で、
【数４６】
0006328720.tif 000050
は、ＰＵＳＣＨに対するシーケンスシフトパターンであり、
【数４７】
0006328720.tif 000051
は、シーケンスグループホッピング（ＳＧＨ）に対するランダムシードである。
ある実施形態で、シーケンスグループホッピング（ＳＧＨ）に対するランダムシード
【数４８】
0006328720.tif 000052
は、干渉ユーザ装備が同一のアップリンク（ＵＬ）基準信号（ＲＳ）ベースシーケンスに割り当てられるように構成されることができる。
【００８８】
シーケンスグループホッピング（ＳＧＨ）がターンオンされる実施形態で、
【数４９】
0006328720.tif 000053
は、０と同一であり、シーケンスグループ数ｕは、
【数５０】
0006328720.tif 000054
だけによって決定される。本発明の他の実施形態によれば、シーケンスシフトパターン
【数５１】
0006328720.tif 000055
は、次の式を使用して構成される：
【００８９】
物理的アップリンク制御チャネル（ＰＵＣＣＨ）及びサウンド基準信号（ＳＲＳ）に対して、
【数５２】
0006328720.tif 000056
式７で、Ｎは、ＵＥ特定ＲＲＣ構成がユーザ装備に適用可能な場合、ＵＥ特定ＲＳベースシーケンス媒介変数であり、そうではなければ、Ｎは、セルのセル識別である。Ｎは、ＲＲＣ構成によって構成される
【数５３】
0006328720.tif 000057
の和に代替されることができる。
【００９０】
物理的アップリンク共有チャネル（ＰＵＳＣＨ）復調基準信号（ＤＭＲＳ）に対して、
【数５４】
0006328720.tif 000058
式８で、
【数５５】
0006328720.tif 000059
は、ＰＵＣＣＨに対するシーケンスシフトパターンであり、
【数５６】
0006328720.tif 000060
は、ＲＲＣ構成によって構成される。
【００９１】
ある実施形態で、
【数５７】
0006328720.tif 000061
は、３ＧＰＰ  ＴＳ  ３６．２１１バージョン８．９．０で定義された
【数５８】
0006328720.tif 000062
になるように設定されることができ、これは、ここに完全に説明されるもののように本発明に統合され、
【数５９】
0006328720.tif 000063
は、干渉ユーザ装備が同一のアップリンク（ＵＬ）基準信号（ＲＳ）ベースシーケンスに割り当てられるようにＲＲＣまたは動的信号のようなＲＲＣによって構成されることができる。
本発明の他の実施形態で、
【数６０】
0006328720.tif 000064
は、０であることができ、
【数６１】
0006328720.tif 000065
は、高い干渉ユーザ装備が同一のアップリンク（ＵＬ）基準信号（ＲＳ）ベースシーケンスに割り当てられるようにＲＲＣまたは動的信号のようなＲＲＣによってユーザ装備特別に構成されることができる。結果的に、ＰＵＣＣＨ、ＰＵＳＣＨ  ＤＭ  ＲＳ及びＳＲＳのシーケンスシフトパターンは、ユーザ装備に対してユーザ装備特別に構成されることができる。
【００９２】
ある実施形態で、
【数６２】
0006328720.tif 000066
は、両方とも高い干渉ユーザ装備が同一のアップリンク（ＵＬ）基準信号（ＲＳ）ベースシーケンス媒介変数に割り当てられるようにＵＥ特定ＲＲＣ構成または動的信号によって構成されることができる。
【００９３】
ある実施形態で、
【数６３】
0006328720.tif 000067
値は、干渉ユーザ装備が同一のアップリンク（ＵＬ）基準信号（ＲＳ）ベースシーケンスに割り当てられるようにＲＲＣまたは動的信号によって｛０、１、…、２９｝から構成されることができる。
【００９４】
ある実施形態で、
【数６４】
0006328720.tif 000068
値は、干渉ユーザ装備が同一のアップリンク（ＵＬ）基準信号（ＲＳ）ベースシーケンスに割り当てられるようにＲＲＣまたは動的信号によって｛０、１、…、２９｝から構成されることができる。
【００９５】
ある実施形態で、
【数６５】
0006328720.tif 000069
は、アップリンク（ＵＬ）承認、例えばダウンリンク制御表示（ＤＣＩ）フォーマット０またはＤＣＩフォーマット４で動的に信号化されることができる。動的信号は、高い干渉ユーザ装備が同一のアップリンク（ＵＬ）基準信号（ＲＳ）ベースシーケンスに割り当てられるようにＮ候補値
【数６６】
0006328720.tif 000070
のうち１つの値
【数６７】
0006328720.tif 000071
を選択する。
【００９６】
ある実施形態で、
【数６８】
0006328720.tif 000072
値は、高い干渉ユーザ装備が等しいアップリンク（ＵＬ）基準信号（ＲＳ）ベースシーケンスに割り当てられるようにＲＲＣによって｛０、１、…、２９｝から構成される。
【００９７】
ある実施形態で、ネットワークは、ＲＲＣ構成によって
【数６９】
0006328720.tif 000073
に対するＮ候補のセットを半静的に構成することができ、ネットワークは、高い干渉ユーザ装備が同一のアップリンク（ＵＬ）基準信号（ＲＳ）ベースシーケンスに割り当てられるようにＰＤＣＣＨ信号によってＮ候補のうち１つの
【数７０】
0006328720.tif 000074
を動的に選択する。
【００９８】
例えば、候補の数Ｎは、４であることができ、２ビット情報要素（ＩＥ）は、次の例示的な表４に設定されたように、アップリンク（ＵＬ）承認に含まれることができる。
【００９９】
【表４】
0006328720.tif 000075
【０１００】
他の実施形態で、候補の数Ｎは、２であることができ、１ビット情報要素（ＩＥ）は、次の例示的な表５に設定されたようにＵＬ承認に含まれることができる。
【０１０１】
【表５】
0006328720.tif 000076
【０１０２】
ある実施形態で、非周期的ＳＲＳ（Ａ−ＳＲＳ）に対して、高い干渉ユーザ装備が同一のアップリンク（ＵＬ）基準信号（ＲＳ）ベースシーケンスに割り当てられるように、
【数７１】
0006328720.tif 000077
は、ダウンリンク（ＤＬ）承認またはアップリンク（ＵＬ）承認のうち１つであることができる伝送承認に信号化される。
【０１０３】
Ｎ候補値
【数７２】
0006328720.tif 000078
は、ＲＲＣまたは動的信号のような上位階層によって構成される。例えば、Ｎ候補
【数７３】
0006328720.tif 000079
値は、｛０、１、…、２９）のグループを有するか、Ｎ候補
【数７４】
0006328720.tif 000080
は、
【数７５】
0006328720.tif 000081
が表４または表５に示されたように示すことができる。
【０１０４】
ＳＧＨが高い干渉ユーザ装備のＰＵＣＣＨに対するＲＳベースシーケンスを整列するためにトンオプされるどんな実施形態で、基地局７０１は、ユーザ装備７１１に対して
【数７６】
0006328720.tif 000082
を構成することができ、基地局７０２は、ユーザ装備７１２に対して
【数７７】
0006328720.tif 000083
を構成することができる。
【０１０５】
ある実施形態で、シーケンスシフトパターン
【数７８】
0006328720.tif 000084
は、次の式を使用して構成される：
【０１０６】
物理的アップリンク制御チャネル（ＰＵＣＣＨ）及びサウンド基準信号（ＳＲＳ）に対して、
【数７９】
0006328720.tif 000085
物理的アップリンク共有チャネル（ＰＵＳＣＨ）復調基準信号（ＤＭＲＳ）に対して、
【数８０】
0006328720.tif 000086
【数８１】
0006328720.tif 000087
は、高い干渉ユーザ装備が同一のアップリンク（ＵＬ）基準信号（ＲＳ）ベースシーケンスに割り当てられるようにＲＲＣまたは動的信号によって構成されることができる。
【０１０７】
ある実施形態で、シーケンスシフトパターン
【数８２】
0006328720.tif 000088
のうち少なくとも１つは、ＲＲＣまたは動的信号によって構成されることができ、ここで、
【数８３】
0006328720.tif 000089
は、高い干渉ユーザ装備が同一のアップリンク（ＵＬ）基準信号（ＲＳ）ベースシーケンスに割り当てられるように｛０、１、…、２９｝から構成されることができる。
【０１０８】
ある実施形態で、ネットワークは、ＲＲＣ構成によって
【数８４】
0006328720.tif 000090
に対するＮ候補のセットを半静的に構成することができ、ネットワークは、高い干渉ユーザ装備が同一のＵＬＲＳベースシーケンスに割り当てられるようにＰＤＣＣＨ信号によってＮ候補のうち１つの
【数８５】
0006328720.tif 000091
を動的に選択する。例えば、候補の数Ｎは、４であることができ、２ビット情報要素（ＩＥ）は、次の表８に設定されたように、アップリンク（ＵＬ）承認に含まれることができる。
【０１０９】
【表６】
0006328720.tif 000092
【０１１０】
他の例で、候補の数Ｎは、２であることができ、１ビット情報要素（ＩＥ）は、次の表９に設定されたようにＵＬ承認に含まれることができる。
【０１１１】
【表７】
0006328720.tif 000093
【０１１２】
他の実施形態で、非周期的ＳＲＳ（Ａ−ＳＲＳ）に対して、高い干渉ユーザ装備が同一のアップリンク（ＵＬ）基準信号（ＲＳ）ベースシーケンスに割り当てられるように、
【数８６】
0006328720.tif 000094
は、ダウンリンク（ＤＬ）承認またはアップリンク（ＵＬ）承認のうち１つであることができる伝送承認に信号化される。Ｎ候補値
【数８７】
0006328720.tif 000095
は、ＲＲＣまたは動的信号のような上位階層によって構成されることができる。例えば、Ｎ候補値
【数８８】
0006328720.tif 000096
は、｛０、１、…、２９）のグループを有するか、Ｎ候補
【数８９】
0006328720.tif 000097
は、
【数９０】
0006328720.tif 000098
が表８または表９に示されたように示すことができる。
【０１１３】
本発明によれば、ＰＵＣＣＨデコーディング性能が向上する。すなわち、同一の伝送電力によるデコーディング失敗確率は、減少する。ＵＥ特定ＲＳベースシーケンス構成起因して、性能利得は、主に次のような様態から出る：二つのＰＵＣＣＨ信号が直交多重化されるとき、減少したＰＵＣＣＨ干渉、及び二つのセルが同一のＲＳベースシーケンスに生成されたＰＵＣＣＨをデコーディングするように協力するどんな場合のＵＬ協力マルチポイント（Ｃｏｏｐｅｒａｔｉｖｅ  Ｍｕｌｔｉ−Ｐｏｉｎｔ）（ＣｏＭＰ）受信の場合の協力利得。多数のユーザ装備が同一のマクロ基地局に連結される協力マルチポイント（ＣｏＭＰ）シナリオ４で、アップリンクセル分割利得は、ＵＥ特定ＲＲＣ構成を割り当てることによって増加することができる。
【０１１４】
本発明に使用されたように、協力マルチポイント（ＣｏＭＰ）伝送ポイント（ＴＰ）は、サブフレームでのユーザ装備（ＵＥ）に対するＣｏＭＰ伝送と関連した送信機を示す。ＴＰは、遠隔無線ヘッド（ＲＲＨ）、マクロｅＮｏｄｅＢ、フェムトｅＮｏｄｅＢ、ピコｅＮｏｄｅＢ、基地局などを含むことができる。一部の実施形態で、ＣｏＭＰＴＰは、異なるセルＩＤを有することができる。他の実施形態で、ＣｏＭＰ  ＴＰは、同一のセルＩＤを共有することができる。協力マルチポイント（ＣｏＭＰ）受信ポイント（ＲＰ）は、サブフレームでのユーザ装備（ＵＥ）からのＣｏＭＰ伝送と関連した受信機を示す。ＲＰは、遠隔無線ヘッド（ＲＲＨ）、メクロｅＮｏｄｅＢ、フェムトｅＮｏｄｅＢ、ピコｅＮｏｄｅＢ、基地局などを含むことができる。一部の実施形態で、ＣｏＭＰ  ＲＰは、異なるセルＩＤを有することができる。他の実施形態で、ＣｏＭＰ  ＲＰは、同一のセルＩＤを共有することができる。
【０１１５】
本発明が例示的な実施形態として説明されたが、多様な変更及び修正が当業者に提示されることができる。本発明は、添付の請求範囲の範疇内でこのような変更及び修正を含むものと意図される。
【符号の説明】
【０１１６】
１００  無線ネットワーク
１０１−１０３  基地局
１２０、１２５  カバレージ領域
１３０  ネットワーク
【図１】
0006328720.tif 000099
【図２ａ】
0006328720.tif 000100
【図２ｂ】
0006328720.tif 000101
【図３】
0006328720.tif 000102
【図４】
0006328720.tif 000103
【図５】
0006328720.tif 000104
【図６】
0006328720.tif 000105
【図７】
0006328720.tif 000106
【図８ａ】
0006328720.tif 000107
【図８ｂ】
0006328720.tif 000108
【図９】
0006328720.tif 000109